(57)【特許請求の範囲】
【請求項１】
中心軸を中心として回転する回転体と、上記回転体の一方の上面の上記中心軸から離反した位置に配設された第１の偏心部と、上記回転体の他方の上面の上記中心軸と上記第１の偏心軸とを結んだ半径上とは異なる位置に配設された第２の偏心部と、上記回転体を中心軸にて回転させる駆動手段と、上記第１の偏心部に一端が接続され上記第１の偏心部の回転動作に連動して他端が往復運動する第１の接続部と、上記第２の偏心部に一端が接続され上記第２の偏心部の回転動作に連動して他端が往復運動する第２の接続部と、直線状の経路部が形成された枠体と、上記経路部に移動可能に保持されて配設され洗浄部を有する洗浄移動部とを備え、
上記洗浄移動部は、一端部が上記第１の接続部の他端に接続され、かつ、他端部が上記第２の接続部の他端に接続され、上記回転体の回転による上記第１および上記第２の接続部の各他端の往復運動により引っ張られて上記経路部を往復移動し、
上記枠体の側壁側から上記洗浄移動部の一端部および他端部に上記第１および第２の接続部の他端をそれぞれ導くため上記枠体に離反して形成された第１および第２のガイド部とを備え、
上記第１および第２の接続部の他端は、上記第１および第２のガイドをそれぞれ介して上記洗浄移動部の一端部および他端部にそれぞれ接続されていることを特徴とする洗浄装置。
【請求項２】
上記第１および第２のガイド部は、上記枠体の底面上に形成され、
上記枠体の側壁の略中央部から上記第１および第２の接続部をそれぞれ上記枠体内に挿入するために形成された第１および第２の開口部とを備え、
上記第１および第２の接続部の他端は、上記第１および第２の開口部から上記枠体内にそれぞれ挿入され、上記第１および第２のガイドをそれぞれ介して上記洗浄移動部の一端部および他端部にそれぞれ接続されていることを特徴とする請求項１に記載の洗浄装置。
【請求項３】
上記第１および第２の接続部は、フレキシブルケーブルと、上記枠体内の部分の他端側が上記フレキシブルケーブルに接続された上記フレキシブルケーブルの径より小径にて成る細線とにて構成されていることを特徴とする請求項１または請求項２に記載の洗浄装置。
【請求項４】
上記第１の偏心部と上記第２の偏心部との配設位置は、上記回転体の同一円周上でかつ１８０°回転した位置に配設されたことを特徴とする請求項１ないし請求項３のいずれかに記載の洗浄装置。
【請求項５】
上記回転体の一方の上面および他方の上面を離反する仕切り部を備えたことを特徴とする請求項１ないし請求項４のいずれかに記載の洗浄装置。
【請求項６】
上記洗浄移動部は、洗浄を行う洗浄部と、上記洗浄部を保持し上記経路部に保持されている移動部とにて構成され、上記洗浄部は上記移動部に着脱可能に形成されていることを特徴とする請求項１ないし請求項５のいずれかに記載の洗浄装置。
【発明の詳細な説明】
【技術分野】
【０００１】
この発明は、洗浄部の往復運動を簡便に行うことができる洗浄装置に関するものである。
【背景技術】
【０００２】
従来の洗浄装置は、手を差し込む袋部分を有する大人の手の平程の大きさの身体洗い機本体のカバー内に、身体洗い機本体の台座の内側にスライドプレートを取り付け、スポンジ又は刷毛を植設した樹脂マットをスライドプレートの下側に組み付け、スライドプレートと樹脂マットが往復運動が出来るように、身体洗い機本体の台座の上側にＡ型アームとボルトナットがベアリングとブラケットによって台座に取り付けられ、フレキシブルケーブルを介して外部に設置した正転逆転可能な防水電動機により、ボルトが正転逆転し始めるとナットＡ型アームが往復運動を始め、穴に嵌合されたポールを介して、スライドプレートと樹脂マットは小刻みな往復運動を始め、身体表面を接擦して洗うものであった。
【０００３】
【特許文献１】実用新案登録第３１２６５１８号公報
【発明の開示】
【発明が解決しようとする課題】
【０００４】
従来の洗浄装置は、フレキシブルケーブルの回転をボルトに装着されている樹脂ナットに変換して樹脂マットを往復運動させているが、樹脂ナットではフレキシブルケーブルの回転が往復運動として簡便に転換できないという問題点があった。
【０００５】
この発明は上記のような課題を解決するためになされたものであり、洗浄部の往復運動を簡便に行うことができる洗浄装置を提供することを目的とする。
【課題を解決するための手段】
【０００６】
この発明は、中心軸を中心として回転する回転体と、回転体の一方の上面の中心軸から離反した位置に配設された第１の偏心部と、回転体の他方の上面の中心軸と第１の偏心軸とを結んだ半径上とは異なる位置に配設された第２の偏心部と、回転体を中心軸にて回転させる駆動手段と、第１の偏心部に一端が接続され第１の偏心部の回転動作に連動して他端が往復運動する第１の接続部と、第２の偏心部に一端が接続され第２の偏心部の回転動作に連動して他端が往復運動する第２の接続部と、直線状の経路部が形成された枠体と、経路部に移動可能に保持されて配設され洗浄部を有する洗浄移動部とを備え、
洗浄移動部は、一端部が第１の接続部の他端に接続され、かつ、他端部が第２の接続部の他端に接続され、回転体の回転による第１および第２の接続部の各他端の往復運動により引っ張られて経路部を往復移動し、
枠体の側壁側から洗浄移動部の一端部および他端部に第１および第２の接続部の他端をそれぞれ導くため枠体に離反して形成された第１および第２のガイド部とを備え、
第１および第２の接続部の他端は、第１および第２のガイドをそれぞれ介して洗浄移動部の一端部および他端部にそれぞれ接続されているものである。
【発明の効果】
【０００７】
この発明の洗浄装置は、中心軸を中心として回転する回転体と、回転体の一方の上面の中心軸から離反した位置に配設された第１の偏心部と、回転体の他方の上面の中心軸と第１の偏心軸とを結んだ半径上とは異なる位置に配設された第２の偏心部と、回転体を中心軸にて回転させる駆動手段と、第１の偏心部に一端が接続され第１の偏心部の回転動作に連動して他端が往復運動する第１の接続部と、第２の偏心部に一端が接続され第２の偏心部の回転動作に連動して他端が往復運動する第２の接続部と、直線状の経路部が形成された枠体と、経路部に移動可能に保持されて配設され洗浄部を有する洗浄移動部とを備え、
洗浄移動部は、一端部が第１の接続部の他端に接続され、かつ、他端部が第２の接続部の他端に接続され、回転体の回転による第１および第２の接続部の各他端の往復運動により引っ張られて経路部を往復移動し、
枠体の側壁側から洗浄移動部の一端部および他端部に第１および第２の接続部の他端をそれぞれ導くため枠体に離反して形成された第１および第２のガイド部とを備え、
第１および第２の接続部の他端は、第１および第２のガイドをそれぞれ介して洗浄移動部の一端部および他端部にそれぞれ接続されているので、洗浄移動部の洗浄部を簡便に往復運動させることができる。
【発明を実施するための最良の形態】
【０００８】
実施の形態１．
以下、この発明の実施の形態について説明する。図１はこの発明の実施の形態１における洗浄装置の構成を示した図、図２は図１に示した洗浄装置の回転体部分の構成を示した斜視図、図３は図１に示した洗浄装置の洗浄部分の枠体の構成を示した斜視図、図４は図１に示した洗浄装置の洗浄部分の枠体のガイド部の構成を示した斜視図および断面図、図５は図１に示した洗浄装置の洗浄移動部の移動部の構成を示した斜視図および断面図、図６は図１に示した洗浄装置の洗浄移動部の洗浄部の構成を示した斜視図および断面図、図７は図１に示した洗浄装置の回転体部分の動作を説明するための図、図８は図１に示した洗浄装置の設置例を示した図、図９は図１に示した洗浄装置の洗浄部分の経路部および洗浄移動部の移動部の他の例を示した斜視図である。尚、本実施の形態１における洗浄装置は、人体を洗う場合に使用するものを例に示している。
【０００９】
図において、洗浄装置１は図１に示すように回転体部分Ａと洗浄部分Ｂとにて構成されている。回転体部分Ａは中心軸２を中心として回転する回転体３を備える。この回転体３は、図２に示すように、一方の上面３０を有する第１の歯車３２および他方の上面３１を有する第２の歯車３３の２つの歯車３２、３３が中心軸２にて接続されることにより構成されている。そして、駆動手段１５にて回転体３を中心軸２を中心に回転させている。この駆動手段１５は、図１に示すように、第１の歯車３２に噛み合う第１の駆動歯車１５１と、第２の歯車３３に噛み合う第２の駆動歯車１５２と、これら各駆動歯車１５１、１５２を回転させる駆動源１５３とにて構成されている。駆動源１５３により各駆動歯車１５１、１５２が回転することにより第１および第２の歯車３２、３３、すなわち、回転体３が中心軸２を中心として回転する。
【００１０】
そして、図２に示すように、回転体３の一方の上面３０の中心軸２から離反した位置であって、外方に突出して配設された第１の偏心部４と、回転体３の他方の上面３１の中心軸２と第１の偏心軸４とを結んだ半径ｒ上とは異なる位置であって、外方に突出して配設された第２の偏心部５とが構成されている。本例では第２の偏心部５は、第１の偏心部４が形成されている回転体３の同一円周Ｌ上で、かつ、１８０°回転した位置に配置されている（図７参照）。そして、第１の偏心部４に一端６０が接続され第１の偏心部４の回転動作に連動して他端６１が往復運動する第１の接続部６と、第２の偏心部５に一端７０が接続され第２の偏心部５の回転動作に連動して他端７１が往復運動する第２の接続部７とを備える。
【００１１】
これら第１および第２の接続部６、７の他端６１、７１側は、後述する枠体内の部分においては、例えば釣り糸のような引っ張りに対して強度および柔軟性を有する線材にて成る細線６４、７４にてそれぞれ形成される。第１および第２の接続部６、７の他の部分は、上記細線６４、７４に接続され、その細線６４、７４の径より大径にて成るフレキシブルケーブル６３、７３にてそれぞれ形成される（特に図４（ｂ）参照）。そして、回転体３の一方の上面３０と他方の上面３１を離反するために、第１の歯車３２と第２の歯車３３との間に中心軸２が貫通されて成る仕切り部１３を介在している。さらに、この仕切り部１３には第１および第２の接続部６、７をガイドするための開口１３３、１３４がそれぞれ形成された第１および第２のケーブルガイド部１３１、１３２が形成されている。そして、これら第１および第２の開口１３３、１３４に、第１および第２の接続部６、７が挿入されガイドされている。
【００１２】
そして、図３に示すように、例えば人間の手の大きさ程度で、耐熱性のプラスティック材にて構成される枠体９が形成されている。そして、この枠体９にはその両側壁９１ａ、９１ｂに沿って、断面略コの字状で直線状にて成る経路部８がそれぞれ形成されている。また、経路部８の縦方向の中央部には長手方向において、後述するボールベアリングのボールが嵌合可能な大きさにて成る溝部８０がそれぞれ形成されている。また、枠体９の一方の側壁９１ａの略中央部には、第１および第２の接続部６、７をそれぞれ枠体９内に挿入するための第１および第２の開口部９２、９３が形成されている。そして、図４に示すように、枠体９の底面９４上には第１および第２のガイド部９５、９６が離反して形成されている。この、第１および第２のガイド部９５、９６は、底面９４上に離反して固定された第１および第２の滑車９７、９９と、これら第１および第２の滑車９７、９９から第１および第２の接続部６、７が外れないように覆うための第１および第２の覆部９８、１００を有している。
【００１３】
そして、第１および第２の接続部６、７の他端６１、７１は、第１および第２の開口部９２、９３から枠体９内にそれぞれ挿入され、第１および第２のガイド９５、９６をそれぞれ介して後述する洗浄移動部１０の一端部および他端部にそれぞれ接続される。この際、枠体９内に挿入される第１および第２の接続部６、７の他端側６１、７１はフレキシブルケーブル６３、７３より径の小径にて成る細線６４、７４にて形成されているため、枠体９内にておいて取り扱いやすい。
【００１４】
そして、経路部８に移動可能に保持されて配設され洗浄部９を有する洗浄移動部１０を備えている。洗浄移動部１０は、洗浄を行う洗浄部１６と、洗浄部１６を保持し経路部８に保持されている移動部１４とにて構成されている。そして、図６に示すように、洗浄部１６の外方側の面には例えばブラシ１６１が形成されており、内方側の面には内部に至るほど径の小さくなるテーパ形状にて成る開口部１６２が４箇所に形成されている。さらに内方側の面の中央部には洗浄側磁石部１６３が配設されている。
【００１５】
そして、図５に示すように、移動部１４は、その側壁１４１、１４２に経路部８の溝部８０に保持されながら移動するボールベアリング１４３が所定間隔を隔ててそれぞれ２個形成されている。さらに、移動部１４には、移動部１４が経路部８でガタツクことがなく移動可能となるように、移動部１４を上下に貫通した貫通孔に回転可能なガイド車１４４が４個形成されている。さらに、移動部１４の外方側の面には洗浄部１６の開口部１６２が嵌合可能な円錐状の嵌合部１４５が４箇所に形成されている。さらに、外方側の面の中央部には洗浄部１６の洗浄側磁石部１６３と磁力により磁着する移動側磁石部１４６が形成されている。このため、洗浄部１６と移動部１４とは洗浄側磁石部１６３と移動側磁石部１４６との磁着、および、開口部１６２および嵌合部１４５の嵌合により保持されており、洗浄部１６は移動部１４に着脱可能となる（特に、図６（ｃ）参照）。そして、移動部１４の長手方向側の一端および他端には第１および第２の接続部６、７を接続するための一端部１１および他端部１２が形成されている。
【００１６】
そして、洗浄移動部１０は、図５（ａ）に示すように、一端部１１が第１の接続部６の他端６１に接続され、かつ、他端部１２が第２の接続部７の他端７１に接続されている。そのため洗浄移動部１０は、回転体３の回転による第１および第２の接続部６、７の各他端６１、７１の往復運動により引っ張られて、ボールベアリング１４３を介して経路部８の溝部８０に沿って往復移動する。尚、図示はしていないものの、枠体９の長手方向の側部にはキャップにて成る着脱可能な側壁を形成する例も考えられる、そしてこのキャップは洗浄移動部１０の設置後に設置すればよい。
【００１７】
次に上記のように構成された実施の形態１の洗浄装置の動作について説明する。まず、図８に示すように、回転体部分Ａ、すなわち駆動手段１５を含んだ部分は脱衣場などに設置されており、洗浄部分Ｂは、浴室内に設置されている。そして、浴室内には駆動手段１５の駆動のＯＮ／ＯＦＦを行うための例えばスイッチ１７が形成されている。そして、使用者が洗浄部分Ｂの枠体９を握って、スイッチ１７をＯＮすることにより洗浄部１６が往復運動して、洗浄部１６のブラシ１６１の往復運動にて使用者が体などを洗うことができる。
【００１８】
次に洗浄部１６の往復運動について図７に基づいて説明する。図７（ａ）は、第１の接続部６が引っ張る動作を行う状態を示しており、図７（ｂ）は、第２の接続部７が引っ張る動作を行う場合を示している。まず、図７（ａ）に示すように、回転体３の一方の上面３０の第１の偏心部４が回転Ｃにより第１の接続部６を引っ張る動作を行う場合、他方の上面３１の第２の偏心部５が回転Ｃにより第２の接続部７を戻す動作を図７（ｂ）の位置に達するまで行う。また、図７（ｂ）に示すように、回転体３の一方の上面３０の第１の偏心部４が回転Ｃにより第１の接続部６を戻す動作を行う場合、他方の上面３１の第２の偏心部５が回転Ｃにより第２の接続部７を引っ張る動作を図７（ａ）の位置に達するまで行う。この動作を繰り返すことにより、洗浄移動部１０は一端部１１および他端部１２が交互に引っ張られて、移動部１４のボールベアリング１４３が経路部８の溝部８０を往復運動する。そして、洗浄部１６が往復運動する。
【００１９】
また、上記実施の形態１においては経路部８を枠体９の各側壁９１ａ、９１ｂに形成する例を示したが、これに限られることはなく、例えば、図９に示すように、経路部１８を枠体９の短手方向の側壁１０１ａ、１０１ｂを跨ぐように直線状に２本の棒体８０を配設して形成する。そして、移動部１９はこの経路部１８を貫通かつ移動可能な貫通孔１９１、１９２を備えて構成する。さらに、移動部１９には、第１および第２の接続部６、７の他端６４、７４を接続するための一端部１１および他端部１２が上記実施の形態１で示した場合と同様にそれぞれ形成されている。そして、移動部１９の外方側の面には洗浄部１６の開口部１６２が嵌合可能な円錐状の嵌合部１４７が４箇所形成されている。さらに、移動部１９の外方側の面の移動側磁石部１４８が形成されている。尚、ここでは洗浄部１６は特に図示していないが、移動側磁石部１４８に磁力にて磁着される洗浄側磁石部が形成されていることは言うまでもなく、他の構成は上記にして示した洗浄部１６と同様の構成にて形成されている。
【００２０】
上記のように構成された実施の形態１における洗浄装置によれば、回転体の回転の偏心により第１および第２の接続部の往復運動をさせて、この往復運動にて洗浄移動部を往復運動させるようにしたため、洗浄部を簡便に往復運動させることができる。また、第１および第２の開口部と、第１および第２のガイド部とを介して、第１および第２の接続部の他端を、洗浄移動部の一端部および他端部にそれぞれ接続させているため、第１および第２の接続部が枠体内にて絡まったりすることを防止することができる。
【００２１】
また、第１および第２の接続部は、フレキシブルケーブルと、枠体内の部分を細線とにて構成しているため、第１および第２の偏心部の偏心回転による往復運動を確実に伝達することができ、さらに、枠体内の部分が細線にて形成されているため、枠体内における第１および第２の接続部が取り扱いやすくなり、かつ、絡まりなどを防止することができる。さらに、第１の偏心部と第２の偏心部との配設位置は、回転体の同一円周上でかつ１８０°回転した位置に配設しているため、第１および第２の接続部の往復運動が常に交互に行われるため洗浄移動部の往復運動を確実にかつスムーズに実施することができる。また、回転体の一方の上面および他方の上面を離反する仕切り部を備えたので、第１および第２の接続部が回転体近傍にて絡まったりすることを防止することができる。洗浄移動部は、洗浄部は移動部に着脱可能に形成されているため、例えばブラシが使用により傷んだ場合、また、種類の異なるブラシを使用したい場合などは洗浄部の交換を容易にすることが可能となる。
【００２２】
尚、上記実施の形態１においては、回転体を第１および第２の歯車にて形成する例を示したが、これに限られることはなく、例えば、１つの回転体としての円盤の一方の上面および他方の上面を使用して行うようにしてもよいことは言うまでもない。また、回転体は、中心軸を中心として回転するものであり、一方の面と他方の面とを備え、第１の偏心部と第２の偏心部とを設置可能に形成されていればよいため、例えば、中心軸を中心として回転する板体を回転体としてもよいことは言うまでもない。
【００２３】
また、駆動手段を第１および第２の駆動歯車を駆動源にて駆動して行う例を示したが、これに限られることはなく、回転体の中心軸を直接回転させ、中心軸を中心として回転体を回転させるような駆動手段を用いてもよいことは言うまでもない。また、第１および第２の接続部はフレキシブルケーブルおよび細線にて形成する例を示したが、これに限られることはなく、他のケーブルなどにて形成することも可能であることは言うまでもない。さらに、第１および第２の接続部は回転体部分Ａおよび洗浄部分Ｂの近辺以外はアウターチューブ内に収納して往復運動が外部に直接触れないよう、かつ、第１および第２の接続部がばらばらになり保持しにくく成らないように形成されることも考えられる。
【００２４】
また、洗浄部と移動部との着脱可能となる構成は上記実施の形態１にて示されている構成に限られることはなく、洗浄部と移動部とが着脱可能であればよいことは言うまでもなく、例えば、ピン留めにて着脱可能に構成することも考えられる。また、上記実施の形態１においては人間の体を洗う場合に使用する例を示したが、これに限られることはなく、洗浄部の往復運動にて洗浄を行う必要があるのであればいずれの場合にも使用することが可能であることは言うまでもない。
【図面の簡単な説明】
【００２５】
【図１】この発明の実施の形態１の洗浄装置の構成を示す図である。
【図２】図１に示した洗浄装置の回転体部分の構成を示した斜視図である。
【図３】図１に示した洗浄装置の洗浄部分の枠体の構成を示した斜視図である。
【図４】図１に示した洗浄装置の洗浄部分の枠体のガイド部の構成を示した斜視図および断面図である。
【図５】図１に示した洗浄装置の洗浄移動部の移動部の構成を示した斜視図および断面図である。
【図６】図１に示した洗浄装置の洗浄移動部の洗浄部の構成を示した斜視図および断面図である。
【図７】図１に示した洗浄装置の回転体部分の動作を説明するための図である。
【図８】図１に示した洗浄装置の設置例を示した図である。
【図９】図１に示した洗浄装置の洗浄部分の経路部および洗浄移動部の移動部の他の例を示した斜視図である。
【符号の説明】
【００２６】
１  洗浄装置、２  中心軸、３  回転体、４  第１の偏心部、５  第２の偏心部、
６  第１の接続部、７  第２の接続部、８，１８  経路部、９  枠体、１５  駆動手段、１６  洗浄部、１０  洗浄移動部、１１  一端部、１２  他端部、１３  仕切り部、
１４，１９  移動部、３０  一方の上面、３１  他方の上面、６０，７０  一端、
６１，７１  他端、６３，７３  フレキシブルケーブル、６４，７４  細線、
９１ａ  側壁、９２  第１の開口部、９３  第２の開口部、９４  底面、
９５  第１のガイド部、９６  第２のガイド部。
【要約】
【課題】洗浄部を簡便に往復運動させることができる洗浄装置を提供する。
【解決手段】中心軸２を中心として回転する回転体３と、回転体３の一方の上面３０の中心軸２から離反した位置に配設された第１の偏心部４と、回転体３の他方の上面３１の中心軸２と第１の偏心軸４とを結んだ半径上とは異なる位置に配設された第２の偏心部５と、回転体３を中心軸２にて回転させる駆動手段１５と、第１の偏心部４に一端６０が接続され第１の偏心部４の回転動作に連動して他端６１が往復運動する第１の接続部６と、第２の偏心部５に一端が接続７０され第２の偏心部５の回転動作に連動して他端が往復運動する第２の接続部７と、直線状の経路部８が形成された枠体９と、経路部８に移動可能に保持されて配設され洗浄部１６を有し、一端部１１が第１の接続部６の他端６１に接続され、かつ、他端部１２が第２の接続部７の他端７１に接続される。
【選択図】図１【図１】
0004041527.tif 000002
【図２】
0004041527.tif 000003
【図３】
0004041527.tif 000004
【図４】
0004041527.tif 000005
【図５】
0004041527.tif 000006
【図６】
0004041527.tif 000007
【図７】
0004041527.tif 000008
【図８】
0004041527.tif 000009
【図９】
0004041527.tif 000010